(57)【特許請求の範囲】
【請求項１】
上面近傍の外周方向に沿わせて設けられた突出部を有して絶縁抵抗等の測定を自在に形成された測定器本体と、該測定器本体の前記突出部をストッパーとしてその上面側と底面側との双方向からの覆設を自在に形成された蓋体とで構成され、該蓋体は、開口部を画成する開放端縁における一方の側の略中央部から垂設された軸支孔付きの可撓ヒンジ部と、前記一方の側と対向する他方の側の略中央部から垂設された係止孔付きの可撓止着部とを備え、測定器本体の前記突出部の対応部位に突設された支軸部を中心軸として可撓ヒンジ部の前記軸支孔を介して測定器本体の底面側への回り込みを自在に軸支させるとともに、同様に測定器本体の前記突出部の対応部位に突設された突片部に対し係止孔の係合を自在にして配設したことを特徴とする携帯用の測定用機器。
【請求項２】
前記蓋体の内側には、測定器本体が必要とする各種の付属品の安定収納が自在な保持用部材が付設されていることを特徴とする請求項１記載の携帯用の測定機器。
【請求項３】
測定器本体が有する前記支軸部は、軸本体部と、該軸本体部よりも径を大きくしてその突端に付設された頭頂部とで形成され、蓋体の可撓ヒンジ部が有する前記軸支孔は、支軸部の前記頭頂部よりは小径で軸本体部よりも大径となって軸本体部との対面部位に設けられた小孔部と、該小孔部よりも大径となって相互に連通する大孔部とで形成したことを特徴とする請求項１または２記載の携帯用の測定機器。
【請求項４】
前記付属品には測定プローブが含まれ、各測定プローブは、それぞれのプラグ部が測定器本体の接続端子側に各別に接続された状態で蓋体内に収納保持されていることを特徴とする請求項２又は３記載の測定機器。
【発明の詳細な説明】
【０００１】
【発明の属する技術分野】
本発明は、不使用時には各種の付属品を安定した状態のもとで収納しながら測定器本体の上面側に覆設でき、その使用時には必要な付属品を取り出した後に測定器本体の底面側に覆設できる蓋体を具備させて、絶縁抵抗計などの測定器として好適に用いることができる携帯用の測定機器に関する。
【０００２】
【従来の技術】
例えば絶縁抵抗計など、携帯用の各種の測定器は、通常、測定プローブやコードなどの各種の付属品とともに持ち運ぶ必要があるので、例えば特注品として別途用意されるキャリングケース内に収納した状態のもとで作業現場まで携行されることになる。
【０００３】
【発明が解決しようとする課題】
しかし、携帯用の測定器を付属品ともども持ち運ぶ際にキャリングケースを用いる場合には、デザインを異にする測定器ごとにキャリングケースを別途に製作しなければならず、共用性に欠けるという問題があった。
【０００４】
また、特定の測定器ごとにデザインを変えて製作されるキャリングケースは、特注品としてその製作コストも高くなってしまう不都合があった。しかも、付属品としての測定プローブが備えるプラグ部は、測定器の接続端子から引き抜いた状態でキャリングケース内に収納しておかなければならず、測定作業に入る都度、測定プローブのプラグ部を測定器の接続端子に差し込んで接続しなければならない作業的な煩雑さがあった。
【０００５】
本発明は従来技術にみられた上記課題に鑑み、測定器本体と一体的に形成された蓋体内に測定プローブ等の付属品を収納でき、しかも、測定プローブが備えるプラグ部も測定器本体の接続端子に差し込んだ状態で持ち運ぶことができる携帯用の測定機器を提供することにその目的がある。
【０００６】
【課題を解決するための手段】
本発明は上記目的を達成すべくなされたものであり、その構成上の特徴は、上面近傍の外周方向に沿わせて設けられた突出部を有して絶縁抵抗等の測定を自在に形成された測定器本体と、該測定器本体の前記突出部をストッパーとしてその上面側と底面側との双方向からの覆設を自在に形成された蓋体とで構成され、該蓋体は、開口部を画成する開放端縁における一方の側の略中央部から垂設された軸支孔付きの可撓ヒンジ部と、前記一方の側と対向する他方の側の略中央部から垂設された係止孔付きの可撓止着部とを備え、測定器本体の前記突出部の対応部位に突設された支軸部を中心軸として可撓ヒンジ部の前記軸支孔を介して測定器本体の底面側への回り込みを自在に軸支させるとともに、同様に測定器本体の前記突出部の対応部位に突設された突片部に対し係止孔の係合を自在にして配設したことにある。
【０００７】
この場合、前記蓋体の内部には、測定器本体が必要とする各種の付属品の安定収納を自在とした保持用部材を付設しておくのが好ましい。また、測定器本体が有する前記支軸部は、軸本体部と、該軸本体部よりも径を大きくしてその突端に付設された頭頂部とで形成され、蓋体の可撓ヒンジ部が有する前記軸支孔は、支軸部の前記頭頂部よりは小径で軸本体部よりも大径となって軸本体部との対面部位に設けられた小孔部と、該小孔部よりも大径となって相互に連通する大孔部とで形成するのが望ましい。さらに、前記付属品には、測定プローブが含まれ、該測定プローブは、それぞれのプラグ部が測定器本体の接続端子側に各別に接続された状態で蓋体内に収納保持させておくのが好ましい。
【０００８】
【発明の実施の形態】
図１は本発明の一例を示す正面図であり、図２は同背面図である。これらの図によれば、その全体は、絶縁抵抗等の測定を自在に形成された略直方体等の適宜の立体形状を呈する測定器本体１１と、該測定器本体１１の突出部１４をストッパーとしてその上面１２側と底面１９側との双方向からの覆設を自在に形成された蓋体２１とで少なくとも構成されている。
【０００９】
このうち、測定器本体１１には、測定値を表示するための表示部やレンジ設定などを行うための操作ダイヤルなどの適宜の必要部材がその上面１２に配設されているほか、該上面１２よりもやや下側近傍に位置する外側面１３にその周方向に帯状に沿わせた突出部１４が設けられており、該突出部１４の上端面１４ａと下端面１４ｂとが蓋体２１の開放端面２３に当接するストッパーとして機能し得るようになっている。なお、図示例では、外側面１３を帯状となって周回する突出部１４が示されているが、分断された非帯状に設けることもできる。
【００１０】
一方、蓋体２１は、図５に詳しく示されているように、開口部２４を画成する開放端縁２２における一方の側、図２によればその背面側に位置する開放端縁２２の略中央部から垂設された軸支孔２６付きの比較的軟質な可撓ヒンジ部２５と、これとは対向する他方の側、図１によれば正面側に位置する開放端縁２２の略中央部から垂設された係止孔３０付きの比較的軟質な可撓止着部２９とを備えて形成されている。なお、可撓ヒンジ部２５には、その撓曲方向に沿わせてあらかじめ溝状の薄肉部２５ａを設けておくのが望ましい。
【００１１】
また、蓋体２１は、図３と図４とに示されているように、測定器本体１１の突出部１４の対応部位に突設された支軸部１５を中心軸として、可撓ヒンジ部２５の軸支孔２６を介して測定器本体１１の底面１９側への回り込みが自在となって軸支させることができるようにして形成されている。
【００１２】
この場合、測定器本体１１の支軸部１５が軸本体部１６と、該軸本体部１６よりも径を大きくしてその突端に付設された頭頂部１７とで形成されている場合には、可撓ヒンジ部２５の軸支孔２６も支軸部１５の頭頂部１７よりは小径で軸本体部１６よりも大径となって軸本体部１６との対面部位に設けられた小孔部２７と、該小孔部２７よりも大径となり、かつ、括れ部２６ａを介して相互に連通する大孔部２８とで形成するのが望ましい。
【００１３】
さらに、蓋体２１は、測定器本体１１の突出部１４の対応部位に突設された突片部１８に対し係止孔３０の係合を自在にして形成されている。この場合、突片部１８は、係止孔３０内に納まる基部１８ａと、該基部１８ａの突端に設けられて係止孔３０よりも大径となって突出する頭部１８ｂとで形成するのが、相互の係合状態をより確実なものとする上からは好ましい。
【００１４】
また、蓋体２１の内部には、図５に示されているように測定器本体１１が必要とする各種の付属品３４の安定収納を自在とした保持用部材３１が付設されている。具体的には、例えば測定器本体１１がその上面１２に備える図示しない接続端子に挿入して接続されるプラグ部３７をコード部３６の他端部に有する一対の測定プローブ３５，３５からなる付属品３４については、蓋体２１に配設されたフック側バンド部３２ａとループ側バンド部３２ｂで構成される一対のバンド材３２，３２からなる保持用部材３１により保持させることができるようになっている。また、取扱説明書３８のような適宜のシート状の付属品３４については、内側面２１ａに付設されている収納袋材３３からなる保持用部材３１により保持させることができるようになっている。
【００１５】
本発明はこのようにして構成されているので、その不使用時には、測定器本体１１の突出部１４の上端面１４ａに蓋体２１の開放端面２３を当接させることにより、図１と図２とに示す状態のもとで、上面１２側に比較的大きな容積の空間部を確保しながら蓋体２１を覆設しておくことができる。しかも、蓋体２１は、測定器本体１１の全体形状に依存する成形品として形成することができるので、特に特注品として製作する必要をなくして製品コストの低減に寄与させることができる。
【００１６】
また、蓋体２１は、測定器本体１１の支軸部１５に可撓ヒンジ部２５の軸支孔２６を介して軸支されるほか、測定器本体１１の突片部１８に可撓止着部２９の係止孔３０を介して係合止着させることができるので、その施蓋状態を確実なものにして持ち運ぶことができる。
【００１７】
さらに、施蓋時における蓋体２１の内部には、測定器本体１１の上面１２との間に必要にして十分な空間部が確保される結果、その内側面２１ａ内に付設されている保持用部材３１を介して必要な付属品３４を安定収納させておくことができる。これを図示例により具体的に説明すれば、蓋体２１の内部には、付属品３４のひとつである一対の測定プローブ３５，３５などを保持させることができる一対のバンド材３２，３２や、付属品３４の他のひとつである取扱説明書３８を保持させることができる収納袋材３３などで構成される適宜の保持用部材３１が付設されているので、上記以外のものも含む必要な付属品３４を安定収納させておくことができる。しかも、一対の測定プローブ３５，３５は蓋体２１内に保持される結果、測定器本体１１がその上面１２に備える図示しない接続端子に対し測定プローブ３５が備えるプラグ部３７を挿入して接続させた状態のもとで持ち運ぶことができる。
【００１８】
一方、測定作業を行う際には、測定器本体１１の突片部１８と可撓止着部２９の係止孔３０との係合状態を解消させて図３に示すように開蓋させ、測定作業に直接的に用いる付属品３４、例えば一対の測定プローブ３５，３５を保持用部材３１であるバンド材３２から取り出すことができる。しかも、可撓ヒンジ部２５に薄肉部２５ａが設けられている場合には、該薄肉部２５ａを介して容易に可撓ヒンジ部２５を可撓変形させることができるので、開蓋操作を円滑に行うことができる。
【００１９】
また、蓋体２１は、測定器本体１の支軸部１５を中心軸に軸支孔２６を介して１８０度回転させることができる。したがって、蓋体２１は、例えば取扱説明書３８を収納袋材３３内に残した上で、図４に示すように突出部１４の下端面１４ｂに開放端面２３が当接するように測定器本体１の底面１９側に覆設した状態のもとで、図１の施蓋時よりはその座高を低くして測定器本体１と一体化することができる。しかも、この場合、一対の測定プローブ３５，３５は、それぞれのプラグ部３７が測定器本体１１の接続端子側に常時接続された状態にしておくことができるので、測定作業の簡素化に寄与させることができる。
【００２０】
また、可撓ヒンジ部２５が備える軸支孔２６が括れ部２６ａを介在させた小径部２７と大径部２８とで形成されている場合には、測定器本体１１の支軸部１５の位置を大径部２８の側へとずらして該大径部２８側から頭頂部１７を円滑に通過させることができるので、蓋体２１を測定器本体１１から極く容易に取り外すことができる。
【００２１】
【発明の効果】
以上述べたように本発明によれば、その不使用時には、測定器本体の上面側に比較的大きな容量の空間部を確保しながら蓋体を覆設することができるので、付属品を保持用部材により安定した状態で保持させながらその全体を持ち運ぶことができる。しかも、蓋体は、測定器本体の全体形状に依存する成形品として形成することができるので、敢えて特注品として製作する必要をなくし製品コストの低減に寄与させることができる。
【００２２】
また、測定作業を行う際には、直接に使用する付属品を取り出した後、測定器本体に対し支軸部を介して蓋体を１８０度回転させてその底面側に覆設することができるので、測定作業に直接的に用いることのない付属品を残した上で、その全体の厚みを比較薄くした状態で直ちに測定作業に着手することができる。
【００２３】
さらに、可撓ヒンジ部が備える軸支孔が相互に連通する小径部と大径部とで形成されている場合には、測定器本体の支軸部の位置を大径部の側へとずらして該大径部側から頭頂部を円滑に通過させることができるので、蓋体を測定器本体から極く容易に取り外すことができる。
【００２４】
さらにまた、測定プローブにおけるプラグ部が測定器本体の接続端子側に常時接続された状態となって蓋体内に保持されている場合には、測定作業の簡素化に寄与させることができる。
【図面の簡単な説明】
【図１】本発明の一例についての不使用時における外観構成を示す正面図。
【図２】同背面図。
【図３】本発明の一例についての開蓋時における状態を示す左側面図。
【図４】本発明の一例についての使用時における外観構成を示す左側面図。
【図５】蓋体と付属品との配置関係を示す拡大斜視図。
【符号の説明】
１１  測定器本体
１２  上面
１３  外側面
１４  突出部
１４ａ  上端面
１４ｂ  下端面
１５  支軸部
１６  軸本体部
１７  頭頂部
１８  突片部
１８ａ  基部
１８ｂ  頭部
１９  底面
２１  蓋体
２１ａ  内側面
２２  開放端縁
２３  開放端面
２４  開口部
２５  可撓ヒンジ部
２５ａ  薄肉部
２６  軸支孔
２７  小径部
２８  大径部
２９  可撓止着部
３０  係止孔
３１  保持用部材
３２  バンド材
３２ａ  フック側バンド片
３２ｂ  リープ側バンド片
３３  収納袋材
３４  付属品
３５  測定プローブ
３６  コード部
３７  プラグ部
３８  取扱説明書
【図１】
0004049346.tif 000002
【図２】
0004049346.tif 000003
【図３】
0004049346.tif 000004
【図４】
0004049346.tif 000005
【図５】
0004049346.tif 000006